(57)【要約】【課題】ステージ板を任意の傾斜状態とすることができるゴルフ練習用ステージであって、搬送容易な形態として簡単に移動させることができるゴルフ練習用ステージを提供する。【解決手段】基台部と、同基台部に装着した傾斜機構部と、同傾斜機構部上に装着したステージ部とからなるゴルフ練習用ステージにおいて、傾斜機構部は、ステージ部のステージ板を所定の傾斜状態に調整可能とするとともに基台部及びステージ部に対して回転自在とし、基台部とステージ部とを回転阻止アームで連結して基台部に対して傾斜機構部を回転させることにより、ステージ部のステージ板は回転させることなく、ステージ板の傾斜方向を変更可能として、ゴルフ練習用ステージを軽量化することにより搬送容易とする。【選択図】図２
2004049923.tif 000002
【特許請求の範囲】
【請求項１】
　基台部と、同基台部に装着した傾斜機構部と、同傾斜機構部上に装着したステージ部とからなるゴルフ練習用ステージにおいて、
　傾斜機構部は、ステージ部のステージ板を所定の傾斜状態に調整可能とするとともに基台部及びステージ部に対して回転自在とし、基台部とステージ部とを回転阻止アームで連結して基台部に対して傾斜機構部を回転させることにより、ステージ部のステージ板は回転させることなく、ステージ板の傾斜方向を変更可能としたことを特徴とするゴルフ練習用ステージ。
【請求項２】
　傾斜機構部は、基台部との装着に用いる基台部装着板と、
　同基台部装着板に回転自在に装着するとともに、回転中心部分に昇降操作体を螺合した回転主軸体と、
　同回転主軸体に装着して回転主軸体の回転とともに回転する回転基板と、
　同回転基板に一端を回動可能に枢着するとともに、他端側を連結アームを介して昇降操作体に連結し、昇降操作体の昇降にともなって所定の傾斜状態となる傾斜基板と、
　同傾斜基板に回転自在に設けたステージ部連結体とから構成したことを特徴とする請求項１記載のゴルフ練習用ステージ。
【請求項３】
　ステージ部は、ステージ板と、ステージ板支持フレーム部とから構成し、傾斜機構部を装着した基台部と、ステージ板支持フレーム部と、ステージ板とに分解して搬送可能としたことを特徴とする請求項１または請求項２に記載のゴルフ練習用ステージ。
【請求項４】
　基台部は、棒状とした第１基台フレームと、同じく棒状とした第２基台フレームと、第１基台フレームと第２基台フレームとに架設した傾斜機構部支持板とから構成し、傾斜機構部支持板に傾斜機構部を装着するとともに、第１基台フレームと第２基台フレームの一端にはそれぞれ搬送補助キャスターを装着したことを特徴とする請求項１〜３のいずれか1項に記載のゴルフ練習用ステージ。
【請求項５】
　ステージ板支持フレーム部は、棒状とした第１支持フレームと、同じく棒状とした第２支持フレームと、第１支持フレームと第２支持フレームとに架設した傾斜機構部連結板とから構成し、第１支持フレームと第２支持フレームの一端にはそれぞれ搬送補助キャスターを装着したことを特徴とする請求項３または請求項４に記載のゴルフ練習用ステージ。
【請求項６】
　傾斜機構部は、基台部に回転自在に装着する回転主軸体と、
　同回転主軸体に装着して回転主軸体の回転とともに回転する回転基板と、
　同回転基板上面に、回転基板と略平行に設けた回動軸を介して回動自在に装着するとともに、回動手段を設けて回動させることにより所定の傾斜状態となる傾斜基板とから構成したことを特徴とする請求項１記載のゴルフ練習用ステージ。
【請求項７】
　回動手段にはロック機構を設けて、傾斜基板の傾斜状態を固定可能としたことを特徴とする請求項６記載のゴルフ練習用ステージ。
【請求項８】
　ステージ部は、傾斜機構部に装着されるステージ板支持フレームと、同ステージ板支持フレーム上面に装着されるステージ板とから構成し、ステージ板をステージ板支持フレームに対して起倒自在としたことを特徴とする請求項６または請求項７に記載のゴルフ練習用ステージ。
【発明の詳細な説明】
【技術分野】
【０００１】
　本発明は、ゴルフ練習用ステージに関するものであり、特に、同ステージの傾斜角度を自在に変更可能としたゴルフ練習用ステージに関するものである。
【背景技術】
【０００２】
　従来、ゴルフ練習場においては、略水平とした練習場面上に人工芝を敷設し、同人工芝の所用の位置にボールを載置し、あるいは、ボールをティーアップした状態に保持するボール固定ピン上にボールを載置し、ボールを打つことによって練習を行なっている。
【０００３】
　昨今では、練習者がアドレスを行うステージ自体を自在に傾斜可能とし、実際のゴルフ場を想定した練習を可能としたゴルフ練習用ステージが知られている（例えば、特許文献１参照。）。
【特許文献１】特開昭５６−１０４６８３号公報
【発明の開示】
【発明が解決しようとする課題】
【０００４】
　しかしながら、上記したゴルフ練習用ステージでは、傾斜状態を実現するための機構を小型化することが困難であって、極めて大型の装置となっているために、一旦設置した後に移動することがほぼ不可能であるという問題があった。
【０００５】
　そこで、本発明者は、小型軽量のゴルフ練習用ステージを開発することにより、容易に持ち運び可能とした本発明のゴルフ練習用ステージを提供せんとするものである。
【課題を解決するための手段】
【０００６】
　本発明のゴルフ練習用ステージは、基台部と、同基台部に装着した傾斜機構部と、同傾斜機構部上に装着したステージ部とからなるゴルフ練習用ステージにおいて、傾斜機構部は、ステージ部のステージ板を所定の傾斜状態に調整可能とするとともに基台部及びステージ部に対して回転自在とし、基台部とステージ部とを回転阻止アームで連結して基台部に対して傾斜機構部を回転させることにより、ステージ部のステージ板は回転させることなく、ステージ板の傾斜方向を変更可能とした。
【０００７】
　また、以下の点にも特徴を有するものである。すなわち、
（１）傾斜機構部は、基台部との装着に用いる基台部装着板と、同基台部装着板に回転自在に装着するとともに、回転中心部分に昇降操作体を螺合した回転主軸体と、同回転主軸体に装着して回転主軸体の回転とともに回転する回転基板と、同回転基板に一端を回動可能に枢着するとともに、他端側を連結アームを介して昇降操作体に連結し、昇降操作体の昇降にともなって所定の傾斜状態となる傾斜基板と、同傾斜基板に回転自在に設けたステージ部連結体とから構成したこと。
（２）ステージ部は、ステージ板と、ステージ板支持フレーム部とから構成し、傾斜機構部を装着した基台部と、ステージ板支持フレーム部と、ステージ板とに分解して搬送可能としたこと。
（３）基台部は、棒状とした第１基台フレームと、同じく棒状とした第２基台フレームと、第１基台フレームと第２基台フレームとに架設した傾斜機構部支持板とから構成し、傾斜機構部支持板に傾斜機構部を装着するとともに、第１基台フレームと第２基台フレームの一端にはそれぞれ搬送補助キャスターを装着したこと。
（４）ステージ板支持フレーム部は、棒状とした第１支持フレームと、同じく棒状とした第２支持フレームと、第１支持フレームと第２支持フレームとに架設した傾斜機構部連結板とから構成し、第１支持フレームと第２支持フレームの一端にはそれぞれ搬送補助キャスターを装着したこと。
【０００８】
　さらには、以下の点にも特徴を有するものである。すなわち、
（１）傾斜機構部は、基台部に回転自在に装着する回転主軸体と、同回転主軸体に装着して回転主軸体の回転とともに回転する回転基板と、同回転基板上面に、回転基板と略平行に設けた回動軸を介して回動自在に装着するとともに、回動手段を設けて回動させることにより所定の傾斜状態となる傾斜基板とから構成したこと。
（２）回動手段にはロック機構を設けて、傾斜基板の傾斜状態を固定可能としたこと。
（３）ステージ部は、傾斜機構部に装着されるステージ板支持フレームと、同ステージ板支持フレーム上面に装着されるステージ板とから構成し、ステージ板をステージ板支持フレームに対して起倒自在としたこと。
【発明の効果】
【０００９】
　請求項１記載の本発明によれば、基台部と、同基台部に装着した傾斜機構部と、同傾斜機構部上に装着したステージ部とからなるゴルフ練習用ステージにおいて、傾斜機構部は、ステージ部のステージ板を所定の傾斜状態に調整可能とするとともに基台部及びステージ部に対して回転自在とし、基台部とステージ部とを回転阻止アームで連結して基台部に対して傾斜機構部を回転させることにより、ステージ部のステージ板は回転させることなく、ステージ板の傾斜方向を変更可能としたことによって、軽量であって低コストのステージ板を任意の傾斜角度に調整可能なゴルフ練習用ステージを提供できる。従って、同ゴルフ練習用ステージの移動・搬送を容易に行なうことができる。
【００１０】
　請求項２記載の本発明によれば、傾斜機構部を、基台部との装着に用いる基台部装着板と、同基台部装着板に回転自在に装着するとともに、回転中心部分に昇降操作体を螺合した回転主軸体と、同回転主軸体に装着して回転主軸体の回転とともに回転する回転基板と、同回転基板に一端を回動可能に枢着するとともに、他端側を連結アームを介して昇降操作体に連結し、昇降操作体の昇降にともなって所定の傾斜状態となる傾斜基板と、同傾斜基板に回転自在に設けたステージ部連結体とから構成したことによって、傾斜機構部を小型かつ軽量とすることができ、ゴルフ練習用ステージの軽量化を図ることができる。
【００１１】
　請求項３記載の本発明によれば、ステージ部を、ステージ板と、ステージ板支持フレーム部とから構成し、傾斜機構部を装着した基台部と、ステージ板支持フレーム部と、ステージ板とに分解して搬送可能としたことによって、搬送作業性を向上させることができ、ゴルフ練習用ステージを容易に移動可能とすることができる。
【００１２】
　請求項４記載の本発明によれば、基台部を、棒状とした第１基台フレームと、同じく棒状とした第２基台フレームと、第１基台フレームと第２基台フレームとに架設した傾斜機構部支持板とから構成し、傾斜機構部支持板に傾斜機構部を装着するとともに、第１基台フレームと第２基台フレームの一端にはそれぞれ搬送補助キャスターを装着したことによって、基台部を一人の作業者によって簡単にかつ安全に搬送することができる。
【００１３】
　請求項５記載の本発明によれば、ステージ板支持フレーム部を、棒状とした第１支持フレームと、同じく棒状とした第２支持フレームと、第１支持フレームと第２支持フレームとに架設した傾斜機構部連結板とから構成し、第１支持フレームと第２支持フレームの一端にはそれぞれ搬送補助キャスターを装着したことによって、基台部と同様に一人の作業者によって簡単にかつ安全に搬送することができる。
【００１４】
　請求項６記載の本発明によれば、傾斜機構部は、基台部に回転自在に装着する回転主軸体と、同回転主軸体に装着して回転主軸体の回転とともに回転する回転基板と、同回転基板上面に、回転基板と略平行に設けた回動軸を介して回動自在に装着するとともに、回動手段を設けて回動させることにより所定の傾斜状態となる傾斜基板とから構成したことによって、傾斜機構部を小型かつ軽量とすることができ、ゴルフ練習用ステージの軽量化を図ることができる。
【００１５】
　請求項７記載の本発明によれば、回動手段にはロック機構を設けて、傾斜基板の傾斜状態を固定可能としたことによって、ゴルフ練習用ステージの利用者がステージ板上面を移動してもステージ板に微動が生じるおそれがなく、安定的に傾斜状態を維持することができ、利用者が安心して利用することができる。
【００１６】
　請求項８記載の本発明によれば、ステージ部は、傾斜機構部に装着されるステージ板支持フレームと、同ステージ板支持フレーム上面に装着されるステージ板とから構成し、ステージ板をステージ板支持フレームに対して起倒自在としたことによって、ステージ板を起立させることによりゴルフ練習用ステージの下方投影面積を小さくすることができるので、ゴルフ練習用ステージの搬送性を向上させることができる。
【発明を実施するための最良の形態】
【００１７】
　本発明のゴルフ練習用ステージは、基台部と、同基台部に装着した傾斜機構部と、同傾斜機構部上に装着したステージ部とからなるゴルフ練習用ステージであって、特に、傾斜機構部は、ステージ部のステージ板を所定の傾斜状態に調整可能とするとともに基台部及びステージ部に対して回転自在とし、基台部とステージ部とを回転阻止アームで連結して基台部に対して傾斜機構部を回転させることにより、ステージ部のステージ板は回転させることなく、ステージ板の傾斜方向を変更可能としたものである。
【００１８】
　従って、極めて簡潔な構成でステージ板の傾斜状態を所望する傾斜状態に変更することができ、しかも、ゴルフ練習用ステージを軽量として搬送容易とし、簡単に移動させることができる。
【００１９】
　特に、傾斜機構部を、基台部との装着に用いる基台部装着板と、同基台部装着板に回転自在に装着するとともに、回転中心部分に昇降操作体を螺合した回転主軸体と、同回転主軸体に装着して回転主軸体の回転とともに回転する回転基板と、同回転基板に一端を回動可能に枢着するとともに、他端側を連結アームを介して昇降操作体に連結し、昇降操作体の昇降にともなって所定の傾斜状態となる傾斜基板と、同傾斜基板に回転自在に設けたステージ部連結体とから構成した場合には、傾斜機構部を極めて軽量・コンパクトに構成することができ、ゴルフ練習用ステージを軽量化することができる。
【００２０】
　また、ステージ部を、ステージ板と、ステージ板支持フレーム部とから構成し、傾斜機構部を装着した基台部と、ステージ板支持フレーム部と、ステージ板とに分解して搬送可能とした場合には、搬送作業性を向上させることができ、ゴルフ練習用ステージを容易に移動可能とすることができる。
【００２１】
　また、基台部を、棒状とした第１基台フレームと、同じく棒状とした第２基台フレームと、第１基台フレームと第２基台フレームとに架設した傾斜機構部支持板とから構成し、傾斜機構部支持板に傾斜機構部を装着するとともに、第１基台フレームと第２基台フレームの一端にはそれぞれ搬送補助キャスターを装着した場合には、基台部を一人の作業者によって簡単にかつ安全に搬送することができる。
【００２２】
　また、ステージ板支持フレーム部を、棒状とした第１支持フレームと、同じく棒状とした第２支持フレームと、第１支持フレームと第２支持フレームとに架設した傾斜機構部連結板とから構成し、第１支持フレームと第２支持フレームの一端にはそれぞれ搬送補助キャスターを装着した場合にも、基台部と同様に、一人の作業者によって簡単にかつ安全に搬送することができ、ゴルフ練習用ステージの搬送作業を一人の作業者で行なうことができる。
【００２３】
　また、傾斜機構部を、基台部に回転自在に装着する回転主軸体と、同回転主軸体に装着して回転主軸体の回転とともに回転する回転基板と、同回転基板上面に、回転基板と略平行に設けた回動軸を介して回動自在に装着するとともに、回動手段を設けて回動させることにより所定の傾斜状態となる傾斜基板とから構成した場合にも、傾斜機構部を小型かつ軽量とすることができ、ゴルフ練習用ステージの軽量化を図ることができる。
【００２４】
　特に、回動手段にはロック機構を設けた場合には、傾斜基板の傾斜状態を固定可能とすることができるので、ゴルフ練習用ステージの利用者が傾斜したステージ板上面を移動してもステージ板に微動・ガタツキが生じることを防止でき、利用者が安心して利用することができる。
【００２５】
　また、ステージ部を、傾斜機構部に装着されるステージ板支持フレームと、同ステージ板支持フレーム上面に装着されるステージ板とから構成し、ステージ板をステージ板支持フレームに対して起倒自在とした場合には、ステージ板を起立させた状態においてゴルフ練習用ステージの下方投影面積を小さくすることができるので、ゴルフ練習用ステージの搬送性を向上させることができる。特に、基台部にキャスターを装着しておけば、ゴルフ練習用ステージを極めて容易に搬送することができる。
【実施例１】
【００２６】
　以下において、図面を用いて実施例１を示しながら詳説する。図１は実施例１のゴルフ練習ステージＡの平面図であり、図２は同ゴルフ練習ステージＡの一部切欠側面図である。
【００２７】
　ゴルフ練習ステージＡは、基台部１と、同基台部１上に装着した傾斜機構部２と、同傾斜機構部２上に装着したステージ部３とから構成しており、さらに、ステージ部３は、ステージ板４と、ステージ板支持フレーム部５とから構成している。
【００２８】
　以下においては次の順序で説明を行なう。
（１）基台部１について
（２）ステージ板支持フレーム部５について
（３）ステージ板４について
（４）傾斜機構部２について
（５）ゴルフ練習ステージＡの使用方法について
【００２９】
　（１）基台部１について
　基台部１は、図３に示すように、棒状とした第１基台フレーム11と、同じく棒状とした第２基台フレーム12と、第１基台フレーム11と第２基台フレーム12とに架設した傾斜機構部支持板13とから構成している。なお、第１基台フレーム11と第２基台フレーム12には、適宜の位置に連結フレーム10を架設し、基台部１を補強してもよい。
【００３０】
　本実施例において、第１基台フレーム11及び第２基台フレーム12は角筒管からなるフレームであって、一方の端部にはキャスター14を装着している。また、他端にはグリップカバーを装着してハンドル部15としている。
【００３１】
　さらに、第１基台フレーム11及び第２基台フレーム12の略中央部分はそれぞれ傾斜機構部支持板架設領域11a,12aとし、同傾斜機構部支持板架設領域11a,12aのキャスター14側にキャスター側拡幅領域11b,12bを設けるとともに、同傾斜機構部支持板架設領域11a,12aのハンドル部15側にハンドル部側拡幅領域11c,12cを設け、各傾斜機構部支持板架設領域11a,12aに傾斜機構部支持板13を架設した基台部１が、平面視略Ｘ字状となるように第１基台フレーム11及び第２基台フレーム12を屈曲させている。
【００３２】
　すなわち、第１基台フレーム11及び第２基台フレーム12の傾斜機構部支持板架設領域11a,12aは、互いに近接させることにより傾斜機構部支持板13の面積を必要最小限として基台部１の軽量化を図る一方で、第１基台フレーム11及び第２基台フレーム12の傾斜機構部支持板架設領域11a,12aの両側部分は、キャスター側拡幅領域11b,12b及びハンドル部側拡幅領域11c,12cによって互いに離隔させることにより、基台部１の安定性を高めている。
【００３３】
　さらに、第１基台フレーム11及び第２基台フレーム12のキャスター14近傍と、ハンドル部15近傍には、平面視略円形状とした平板からなる接地板16aに連結用雄ネジ16bを突設して形成した脚体16をそれぞれ螺合しており、連結用雄ネジにおける螺合位置を調節することにより基台部１を略水平状態に設置可能としている。
【００３４】
　図３中、17は傾斜機構部支持板13と第１基台フレーム11の傾斜機構部支持板架設領域11a、及び傾斜機構部支持板13と第２基台フレーム12の傾斜機構部支持板架設領域12aとを連結する連結ネジである。なお、傾斜機構部支持板13は連結ネジ17を用いて第１基台フレーム11及び第２基台フレーム12に連結する形態に限定するものではなく、適宜の連結形態としてよい。
【００３５】
　また、図３中、18は傾斜機構部支持板13に傾斜機構部２を装着する際に用いる固定用ボルト19aを挿通させる挿通孔である。すなわち、図４に示すように、傾斜機構部支持板13上に後述する傾斜機構部２を載設し、同傾斜機構部２下端の基台部装着板23を傾斜機構部支持板13に重合状態に載設し、挿通孔18に固定用ボルト19aを挿通させて、固定用ナットで固定するように構成している。基台部装着板23にも、固定用ボルト19aを挿通させる挿通孔64を設けていることは言うまでもない。
【００３６】
　なお、傾斜機構部支持板13を用いることなく、基台部装着板23を傾斜機構部支持板13として、基台部装着板23を、直接、第１基台フレーム11及び第２基台フレーム12に連結してもよい。
【００３７】
　傾斜機構部支持板13に設けた開口部13'には、後述するように傾斜機構部２の基台部装着板23下面側に突出した下部固定用フランジ67部分を挿入可能とし、傾斜機構部支持板13と基台部装着板23とを重合可能としている。
【００３８】
　傾斜機構部２の構成については後で説明する。図４中、21は、回転する傾斜機構部２の回転操作を行なう操作ハンドルであり、同操作ハンドル21を、両端にユニバーサルジョイントを設けた連結軸22で傾斜機構部２に連動連結し、傾斜機構部２を回転操作可能としている。
【００３９】
　また、図４中、91は回転阻止アーム92の一端を基台部１に枢着するための回転阻止アーム連結板である。回転阻止アーム92の他端は、後述するように傾斜機構部２のステージ部連結体と連結した回転阻止用連結板84の一端に枢着している。
【００４０】
　上記したように基台部１を構成することによって、傾斜機構部支持板13に傾斜機構部２を載設した基台部１は、キャスター14を利用して容易に搬送することができる。すなわち、ゴルフ練習ステージＡを設置する作業者は、キャスター14を地面に当接させながら基台部１のハンドル部15部分を持ち上げることにより、基台部１を簡単にかつ安全に搬送することができる。
【００４１】
　本実施例では、上記したように、第１基台フレーム11及び第２基台フレーム12によって基台部１を平面視略Ｘ字状に形成しているが、基台部１を構造的にさらに強固とするために、第１基台フレーム11と第２基台フレーム12とに架設する連結フレーム10だけでなく、それ以外にも適宜の補強用フレームを配設してもよい。この場合に、基台部１は必ずしも平面視略Ｘ字状である必要はないものの、一方側にはキャスター14を設け、他方にはハンドル部15を設け、搬送容易となっていればよい。
【００４２】
　（２）ステージ板支持フレーム部５について
　傾斜機構部２上に装着するステージ部３のステージ板支持フレーム部５は、図５に示すように、棒状とした第１支持フレーム51と、同じく棒状とした第２支持フレーム52と、第１支持フレーム51と第２支持フレーム52とに架設した傾斜機構部連結板53とから構成している。
【００４３】
　本実施例において、第１支持フレーム51及び第２支持フレーム52は円筒管からなるフレームであって、一方の端部にはキャスター54を装着している。また、他端にはグリップカバーを装着してハンドル部55としている。
【００４４】
　さらに、第１支持フレーム51及び第２支持フレーム52の略中央部分はそれぞれ傾斜機構部連結板架設領域51a,52aとし、同傾斜機構部連結板架設領域51a,52aのキャスター54側にキャスター側拡幅領域51b,52bを設けるとともに、同傾斜機構部連結板架設領域51a,52aのハンドル部55側にハンドル部側拡幅領域51c,52cを設け、各傾斜機構部連結板架設領域51a,52aに傾斜機構部連結板53を架設したステージ板支持フレーム部５が、台部１と同様に平面視略Ｘ字状となるように、第１支持フレーム51及び第２支持フレーム52を屈曲させている。
【００４５】
　すなわち、第１支持フレーム51及び第２支持フレーム52の傾斜機構部連結板架設領域51a,52aは、互いに近接させることにより傾斜機構部連結板53の面積を必要最小限としてステージ板支持フレーム部５の軽量化を図る一方で、第１支持フレーム51及び第２支持フレーム52の傾斜機構部連結板架設領域51a,52aの両側部分は、キャスター側拡幅領域51b,52b及びハンドル部側拡幅領域51c,52cによって互いに離隔させて、ステージ板支持フレーム部５上に載設するステージ板４を安定的に支持可能としている。
【００４６】
　さらに、ステージ板支持フレーム部５の第１支持フレーム51と第２支持フレーム52には、適宜の位置に連結フレームを架設し、ステージ板支持フレーム部５を補強してもよい。特に、本実施例においては、キャスター側拡幅領域51b,52bとキャスター54との間の第１・第２支持フレーム51,52間であって、キャスター54寄りの位置に第１連結フレーム56aを架設し、キャスター側拡幅領域51b,52b寄りの位置に第２連結フレーム56bを架設している。また、キャスター側拡幅領域51b,52bとハンドル部55との間の第１・第２支持フレーム51,52間に第３連結フレーム56cを設けている。
【００４７】
　第１連結フレーム56aと第２連結フレーム56bとは所定間隔だけ離隔するように第１・第２支持フレーム51,52の長さを調整し、第１連結フレーム56aと第２連結フレーム56bとの間に、図１及び図２に示すように、ボール載置板57を着脱自在に装着している。
【００４８】
　ボール載置板57は、平板状とした支持板に毛足の長い人工芝を重合させて構成し、ボール載置板57にボールを載置した際に、後述するように傾斜機構部２で生起した傾斜によって傾斜状態となったボール載置板57上のボールが、ボール載置板57から転がり落ちないようにしている。
【００４９】
　また、ボール載置板57は、ステージ板支持フレーム部５に着脱自在としており、使用によってボール載置板57上面の人工芝57bの毛足が短くなった場合には、ボール載置板57のみを交換可能としている。
【００５０】
　さらに、本実施例においては、図１に示すように、ボール載置板57にはボール保持ネット58を装着しており、同ボール保持ネット58部分にボールを貯留しておき、ボール保持ネット58部分から１つずつボールをボール載置板57に取出して載置可能としている。従って、使用者は、ゴルフ練習ステージＡから降りることなく連続的にボール載置板57にボールを供給することができる。なお、当然ながら、ボール保持ネット58は、ボール保持ネット58をボールが通過しない程度のメッシュとしたネットを用いている。なお、ボール保持ネット58は、紐製であってもよいし、金属線製であってもよい。
【００５１】
　また、本実施例においては、第２連結フレーム56bには、ステージ板支持フレーム部５上に載設するステージ板４を安定的に載設するために、同ステージ板支持フレーム部５が形成する平面と略平行に平板状の係合補助板59を装着しており、同係合補助板59には、係合補助板59と略平行となった係合面59aを有する係合爪59bを突設している。
【００５２】
　特に、係合補助板59は、第２連結フレーム56に接合するとともに、第１・第２支持フレーム51,52のキャスター側拡幅領域51b,52b部分にも接合し、係合補助板59をステージ板支持フレーム部５に強固に装着するとともに、係合補助板59をステージ板支持フレーム部５の補強体ともしている。
【００５３】
　さらに、ステージ板支持フレーム部５上に載設するステージ板４を安定的に載設するために、本実施例においては第１支持フレーム51及び第２支持フレーム52の所要の位置に上方に向けて係止ピン93を突設し、同係止ピン93をステージ板支持フレーム部５上に載設するステージ板４と係合させている。
【００５４】
　第１・第２支持フレーム51,52の傾斜機構部連結板架設領域51a,52aに架設した平板状の傾斜機構部連結板53には、略中央部に嵌合孔50を開口し、同嵌合孔50には後述する連結用フランジ96を、同連結用フランジ96上面に突設した嵌合用突状部96aを嵌合させて装着するようにしている（図９及び図１０参照）。そして、ステージ板支持フレーム部５は、同連結用フランジ96を介して傾斜機構部２上部に装着するようにしている。図５中、97は、傾斜機構部連結板53に連結用フランジ96を装着するために固定用ネジ86を挿入する装着用ネジ挿入孔である。
【００５５】
　上記したようにステージ板支持フレーム部５を構成することによって、ステージ板支持フレーム部５は、キャスター54を利用して容易に搬送することができる。すなわち、ゴルフ練習ステージＡを設置する作業者は、キャスター54を地面に当接させながらステージ板支持フレーム部５のハンドル部55部分を持ち上げることにより、ステージ板支持フレーム部５を簡単にかつ安全に搬送することができる。
【００５６】
　（３）ステージ板４について
　ステージ板４は、図２に示すように、所定の強度を有する平板からなる支持平板41と、同支持平板41上面に重合配設した上に滑り止めとなるゴム状シート体42とから構成している。
【００５７】
　なお、支持平板41は、単なる板体で構成するのではなく、金属製の支持用フレームにベニヤ板を張設して構成してもよい。また、ゴム状シート体42の代わりに人工芝を用いてもよい。
【００５８】
　支持平板41下面には、ステージ板支持フレーム部５の係合補助板59に設けた係合爪59bと係合する係合片43を設け、係合片43を係合爪59bに係合させることによりステージ板４をステージ板支持フレーム部５に固定配設可能としている。
【００５９】
　特に、図６に示すように、係合爪59bには規制用突片59cを設けるとともに、係合片43には楔形状の切欠部43aを設けることによって、切欠部43a部分に規制用突片59c挿入することによってステージ板４をステージ板支持フレーム部５の正規の位置に位置させることができ、位置ズレを生起することなくステージ板４を正しく装着することができる。
【００６０】
　さらに、支持平板41下面には、ステージ板支持フレーム部５の第１支持フレーム51及び第２支持フレーム52に設けた係止ピン93と係合する係合孔（図示せず）を設けている。
【００６１】
　そのうえ、支持平板41下面には、ステージ板支持フレーム部５の第３連結フレーム56cを挟着するクリップ状の挟着具44を設け、同挟着具44を第３連結フレーム56cに挟着させることにより、ステージ板４をステージ板支持フレーム部５に固定配設可能としてもよい。
【００６２】
　上記したように、ゴルフ練習ステージＡは、傾斜機構部２を装着した基台部１と、ステージ板支持フレーム部５と、ステージ板４とに分解して搬送可能としたことによって、ゴルフ練習ステージＡの搬送作業性を向上させることができ、ゴルフ練習用ステージＡを容易に移動可能とすることができる。
【００６３】
　（４）傾斜機構部２について
　傾斜機構部２は、図７及び図８に示すように、基台部１への装着に用いる基台部装着板23と、同基台部装着板23に回転自在に装着するとともに、回転中心61部分に昇降操作体62を螺合した回転主軸体24と、同回転主軸体24に装着して回転主軸体24の回転とともに回転する回転基板25と、同回転基板25に一端を回動可能に枢着するとともに、他端側を連結アーム63を介して昇降操作体62に連結し、昇降操作体62の昇降にともなって所定の傾斜状態となる傾斜基板26と、同傾斜基板26に回転自在に設けたステージ部連結体27とから構成している。
【００６４】
　基台部装着板23は、上記したように基台部１の傾斜機構部支持板13に重合状態に載設可能とした平板で構成しており、基台部装着板23の四隅に設けた挿通孔64を用いて、固定用ボルト19a及び固定用ナットにより傾斜機構部２を基台部１に装着可能としている。
【００６５】
　基台部装着板23の略中央部には、回転主軸体24を装着する回転主軸体装着孔を設けており、同回転主軸体装着孔にベアリング65,65を介して回転主軸体24を挿入し、回転主軸体24下端に固定用ネジ66を用いて下部固定用フランジ67を装着することにより、回転主軸体24を基台部装着板23に回転自在に装着している。
【００６６】
　さらに、回転主軸体24には周面にラック歯を突出させてラック68を装着しており、同ラック68のラック歯と係合させながら基台部装着板23に装着したピニオン69によって回転主軸体24を回転操作可能としている。すなわち、ピニオン69の回転軸70は、図７に示すように、ユニバーサルジョイントを介して連結軸22と接続しており、連結軸22は上記したように操作ハンドル21と連結しており、操作ハンドル21の操作にともなってピニオン69を回転させて、回転主軸体24を回転可能としている。図８中、71は、ラック68を回転主軸体24に固定配設するために用いる固定用ネジである。
【００６７】
　また、回転主軸体24の上端には、図９及び図１０に示すように、固定用ネジ72によって回転基板25を装着しており、同回転基板25が回転主軸体24の回転とともに回転するようにしている。
【００６８】
　なお、本実施例では、ラック68と回転基板25とを別体としているが、回転基板25を円盤状に形成するとともに、同回転基板25の周縁にピニオン69と螺合するラック歯を設けて回転基板25を直接回転させるようにしてもよい。あるいは、回転基板25をスプロケットで構成し、同スプロケットを適宜の回転操作手段で回転させてもよい。
【００６９】
　回転主軸体24の回転中心61部分に設けた昇降操作体62は、上端に昇降操作用レンチ95と係合する係合突起62aを設けるとともに、下端側に雄ネジ部62bを形成し、同雄ネジ部62bは、本実施例においてはラック68の中心部に設けた雌ネジ部と螺合させるように構成している。なお、昇降操作体62の雄ネジ部62aと螺合する雌ネジ部は、回転主軸体24自体に設けてもよい。
【００７０】
　そして、昇降操作用レンチ95によって昇降操作体62を回転させることにより、同昇降操作体62はラック68に対して上下に昇降し、これにより昇降操作体62を回転主軸体24に対して昇降可能としている。
【００７１】
　昇降操作体62の上端側には、ベアリング73,73によって連結アーム63を回転自在に装着している。本実施例では、連結アーム63は、昇降操作体62の上端側に回転自在に装着した水平アーム63aと、同水平アーム63aの両側に上方に向けて突設した垂直アーム63b,63bとにより構成している。
【００７２】
　特に、連結アーム63は、回転基板25に設けた連結アーム挿入孔74内に挿入し、昇降操作体62の昇降にともなって、連結アーム63は連結アーム挿入孔74内を昇降するように構成している。
【００７３】
　さらに、垂直アーム63b,63bの上端内側部分は、回転基板25に一端を回動可能に枢着した傾斜基板26の他端外側縁に当接させて、かつ、枢軸75によって傾斜基板26を回動自在に連結している。
【００７４】
　すなわち、傾斜基板26は、図９及び図１０に示すように、基端側において第１枢軸76によって回転基板25に枢着した連結板77に、第２枢軸78を用いて枢着することにより回転基板25に対して回動自在に装着しており、他端側を枢軸75,75によって垂直アーム63b,63bと回動自在に連結し、昇降操作体62の昇降にともなう連結アーム63の昇降によって傾斜基板26を回転基板25に対して回動させて、傾斜基板26を所要の傾斜状態としている。
【００７５】
　そして、回転主軸体24を回転することにより、傾斜基板26の傾斜の方向、すなわち、傾斜基板26の法線方向を変更可能としている。
【００７６】
　さらに、傾斜基板26には、ステージ部連結体27を回転自在に装着している。すなわち、ステージ部連結体27は中空の円筒体とし、傾斜基板26には同ステージ部連結体27を挿入可能としたステージ部連結体装着孔を設け、同ステージ部連結体装着孔にベアリング79,79を介してステージ部連結体27を挿入し、ステージ部連結体27上端に固定用ネジ81を用いて固定用フランジ体82を装着することにより、傾斜基板26にステージ部連結体27を回動自在に装着している。
【００７７】
　中空の円筒体からなるステージ部連結体27の中空部27aは、昇降操作体62上端部に設けた係合突起62aと係合する昇降操作レンチ95を挿入可能とし、同昇降操作レンチ95によって昇降操作体62を昇降操作するように構成している。
【００７８】
　固定用フランジ体82は、ステージ部連結体27の中空部27aと連通する円形開口を設けた中空の筒状体であって、下端部にフランジ部82aを突出して形成しており、同フランジ部82a上方の筒状部82bの外周面には、後述する挟着体83を螺着するためのネジ部を設けている。
【００７９】
　また、固定用フランジ体82には、上記したように回転阻止アーム92と枢着した回転阻止用連結板84を装着している。特に、本実施例では、回転阻止用連結板84には、固定用フランジ体82の筒状部82bに嵌着可能とするように同筒状部82bを挿入可能とした挿入用開口孔を設け、同挿入用開口孔に筒状部82bを挿入して回転阻止用連結板84を固定用フランジ体82のフランジ部82aに重合させ、適宜の固定用ネジ85によって固定用フランジ体82と回転阻止用連結板84とを連結することにより、回転阻止用連結板84を固定用フランジ体82に装着している。
【００８０】
　そして、回転阻止用連結板84は、上記したように一端において回転阻止アーム92に枢着し、同回転阻止アーム92を介して基台部１と連結することにより、操作ハンドル21による回転主軸体24の回転操作にともなって、回転主軸体24とともにステージ部連結体27が回転することを防止している。
【００８１】
　上記のように、回転阻止用連結板84及び回転阻止アーム92によって、回転主軸体24とともに回転不可能としたステージ部連結体27に、後述するように連結用フランジ96を介してステージ板支持フレーム部５を装着し、同ステージ板支持フレーム部５上にステージ板４を載設することにより、傾斜機構部２における回転主軸体24の回転にかかわらず、ステージ部３を回転させることなく、ステージ部３の傾斜状態を変更可能としている。
【００８２】
　なお、本実施例においては、回転阻止アーム92は、直接的には基台部１とステージ部３とは接続していないが、回転阻止用連結板84、固定用フランジ体82、連結用フランジ96を介して間接的に接続しており、回転阻止アーム92は、基台部１とステージ部３とを連結しているものと見なすこととする。
【００８３】
　連結用フランジ96は、固定用フランジ体82の筒状部82bを挿入可能とした開口部を有するフランジ体であって、連結用フランジ96の開口部に筒状部82bを挿入させて先に嵌着した回転阻止用連結板84に重合させ、固定用フランジ体82に挟着体83を螺着することにより、傾斜機構部２上端に連結用フランジ96を挟持固定可能としている。
【００８４】
　ここで、挟着体83は、固定用フランジ体82の筒状部82bに設けたネジ部と螺合するネジ部を内周面に設けた円筒体であって、外周縁に連結用フランジ96を押下する係止用フランジ83aを設けている。また、図８及び図９中、83bは、挟着体83に設けた半円弧状のハンドルであって、同ハンドル83bを用いて挟着体83を固定用フランジ体82の筒状部82bに着脱するように構成している。
【００８５】
　連結用フランジ96は、あらかじめステージ板支持フレーム部５の傾斜機構部連結板53に固定用ネジ86で連結しておき、連結用フランジ96の開口部に固定用フランジ体82の筒状部82bを挿入させることにより傾斜機構部２上にステージ板支持フレーム部５を載設し、同筒状部82bに先に嵌着した回転阻止用連結板84と連結用フランジ96とを重合させて固定用フランジ体82に挟着体83を螺着することにより、固定用フランジ体82に装着した回転阻止用連結板84と挟着体83とによって連結用フランジ96を挟持固定して、傾斜機構部２上へのステージ板支持フレーム部５の装着を行なっている。
【００８６】
　なお、回転阻止用連結板84には、所定位置に連結用フランジ96と係合する係止ピン87を設けておき、回転阻止用連結板84と連結用フランジ96とをより一体的に連結するように構成している。
【００８７】
　本実施例では、連結用フランジ96を介して傾斜機構部２上にステージ板支持フレーム部５を装着しているが、連結用フランジ96を設けずにステージ板支持フレーム部５の傾斜機構部連結板53を固定用フランジ体82に装着した回転阻止用連結板84と挟着体83とによって挟持固定してもよい。
【００８８】
　（５）ゴルフ練習ステージＡの使用方法について
　上記したゴルフ練習ステージＡを使用する場合には、まず、図４に示すように、傾斜機構部支持板13に傾斜機構部２を載設した基台部１を所定位置まで搬送し、脚体16を介して基台部１を略水平に設置する。
【００８９】
　次いで、傾斜機構部連結板53に連結用フランジ96を取着しているステージ板支持フレーム部５を基台部１のところまで搬送し、傾斜機構部２上端の固定用フランジ体82の筒状部82bを、連結用フランジ96の開口部に挿入させながら傾斜機構部２上にステージ板支持フレーム部５を載設し、その後、挟着体83を固定用フランジ体82の筒状部82bに螺着してステージ板支持フレーム部５の傾斜機構部２への装着を行なう。
【００９０】
　そして、ステージ板４を基台部１のところまで搬送し、ステージ板支持フレーム部５上に載設する。
【００９１】
　その後、図１０に示すように、昇降操作レンチ95によって昇降操作体62を昇降操作することにより傾斜基板26を所要の角度に調整してステージ部３を傾斜させる。そして、傾斜の向きを変更するには、操作ハンドル21を操作して傾斜機構部２の回転主軸体24を回転させることにより傾斜基板26の傾斜の向きを変えて、ステージ部３の傾斜の向きを変更する。
【００９２】
　上記したゴルフ練習ステージＡでは、手動により傾斜機構部２における傾斜基板26の角度調整、及び傾斜基板26の傾斜の向きを調整すべく構成しているが、適宜の駆動モータを配設することにより、自動操作可能に構成してもよい。
【実施例２】
【００９３】
　以下において、図面を用いて実施例２を示しながら詳説する。図１１は実施例２のゴルフ練習ステージＢの側面図であり、図１２は同ゴルフ練習ステージＢのステージ部を除去した状態の説明用平面図である。
【００９４】
　本実施例のゴルフ練習ステージＢは、実施例１のゴルフ練習ステージＡと同様に、基台部100と、同基台部１上に回動自在に装着した傾斜機構部200と、同傾斜機構部200上に回動自在に装着したステージ部300とから構成しており、さらに、ステージ部300は、ステージ板301と、ステージ板支持フレーム302とから構成している。本実施例のゴルフ練習ステージＢの基本構成は、実施例１のゴルフ練習ステージＡと同じであり、実施例１のゴルフ練習ステージＡと異なっている点を中心に説明する。
【００９５】
　基台部100は、四角筒体で構成した矩形フレーム状の基台フレーム101で構成しており、基台フレーム101には、１組の対向した四角筒体の下側面にそれぞれ架設用支持片102,102を内側に向けて突設し、この架設用支持片102,102を介して傾斜機構部支持板103を架設している。
【００９６】
　さらに、基台フレーム101には、図１２に示すように、四隅部分にそれぞれキャスター装着片104を外方に向けて突設し、同キャスター装着片104にそれぞれキャスター105を装着している。また、基台フレーム101には、四隅部分にそれぞれ脚体装着片106を外方に向けて突設し、同脚体装着片106にそれぞれ脚体107を装着している（図１４参照）。
【００９７】
　脚体107は脚体装着片106にそれぞれ昇降自在に装着し、脚体107を降下させることにより脚体107下端を設置面に当接させて脚体107を介して基台フレーム101を支持するようにし、脚体107を上昇させることによりキャスター105を設置面に当接させてキャスター105を介して基台フレーム101を支持するようにしている。
【００９８】
　傾斜機構部支持板103には、第１ベアリング201を介して傾斜機構部200を装着している。
【００９９】
　傾斜機構部200は、第１ベアリング201を介して傾斜機構部支持板103に回転自在に装着した回転主軸体202と、同回転主軸体202の上端に装着して回転主軸体202の回転とともに回転する回転基板203と、回転主軸体202の直上となる回転基板203の上面に設けた軸受204と、同軸受204に回動自在に設けた円筒形状の回動軸205と、同回動軸205に装着して回動軸205の回動にともなって傾斜状態となる傾斜基板206とから構成し、傾斜基板206に第２ベアリング207を介してステージ板支持フレーム302を装着することによって、基台部100及びステージ部300に対して傾斜機構部200を回転自在としている。なお、図１１、図１３及び図１４中、219は傾斜機構部200の回転にともなってステージ部300が回転することを防止する回転阻止アームである。
【０１００】
　回転主軸体202には周面にラック歯を突出させたラック208を設けており、同ラック208のラック歯と係合させて傾斜機構部支持板103に装着したピニオン209によって回転主軸体202を回転操作可能としている。特に、本実施例では、図１２に示すように、ピニオン209の回転軸を駆動モータ210の出力軸と連動連結し、同駆動モータ210でピニオン209を回転させることにより回転主軸体202を回転させるようにしている。
【０１０１】
　回転基板203は所要の大きさの平板状の板体としている。回転基板203の上面に軸受204を介して設けた回動軸205は、回転基板203の上部平面と略平行となるように軸受204によって支持している。
【０１０２】
　すなわち、軸受204は、円筒形状の回動軸205の中空部に挿貫した円柱状棒体として、両端をそれぞれ回転基板203に立設した支持片に回転基板203の上部平面と略平行となるように架設して構成して、回動軸205を回転基板203の上部平面と略平行に支持している。
【０１０３】
　回動軸205と接続した傾斜基板206は所要の大きさの平板状の板体としており、回転主軸体202の直上となる傾斜基板206の上面に第２ベアリング207を設けて、基台部100及びステージ部300に対して傾斜機構部200を回転自在としている。
【０１０４】
　傾斜基板206の傾斜状態の調整は次のようにしている。すなわち、回転基板203の上面の所定位置には所定間隔だけ離隔して第１軸受211と第２軸受212とを設け、この第１軸受211と第２軸受212との間に進退移動体213を螺着したウォーム軸214を回動自在に装着し、進退移動体213と傾斜基板206とを連結アーム215を介して連結している。これが回動手段である。図１１及び図１２中、216はウォーム軸214の回動操作を行う操作ハンドルである。
【０１０５】
　連結アーム215は、一端を進退移動体213に枢軸を介して連結するとともに、他端を傾斜基板206に枢軸を介して連結しており、操作ハンドル216によるウォーム軸214の回動操作にともなってウォーム軸214に沿って進退移動体213を前進または後退することによって、図１３に示すように、回動軸205を回動中心として傾斜基板206を回動させ、傾斜基板206の傾斜状態を調整可能としている。
【０１０６】
　このように傾斜基板206の傾斜状態とすることによって、傾斜基板206に第２ベアリング207を介して装着したステージ部300もステージ板301を傾斜状態とすることができ、しかも、駆動モータ210によって回転主軸体202させることにより、ステージ板301の傾斜方向を変更することができる。
【０１０７】
　さらに、進退移動体213には、図１２に示すように、ウォーム軸214と略平行にロッド217を接続し、このロッド217の一端にロック用ハンドル218を接続してロッド217をロック可能としている。そして、ロッド217をロックすることにより進退移動体213を所要位置に強固に固定するようにしており、この進退移動体213の固定によって傾斜機構部200の遊び寸法分の微動を抑止して、傾斜した傾斜基板206にガタツキが生じることを防止するようにしている。これがロック機構である。
【０１０８】
　すなわち、上記した実施例１の場合では傾斜機構部２を構成している各構成体に必要な遊び寸法の分だけステージ部３を完全に固定することが困難であり、使用者がステージ板301上を移動した場合にステージ板301に多少の微動・ガタツキが生じる場合があるが、ロック用ハンドル218を用いて進退移動体213をほぼ完全に固定することによってこの微動・ガタツキを解消することができ、使用者が安心して利用することができる。
【０１０９】
　上記した実施例２のゴルフ練習ステージＢでは、図１４に示すように、ステージ部300のステージ板301は、同ステージ板301とステージ板支持フレーム302との間に設けたガイドアーム303を介してステージ板支持フレーム302に対して起倒自在としている。
【０１１０】
　そして、ゴルフ練習ステージＢを移動させたい場合には、ステージ板301を起立させて下方投影面積を小さくし、さらに、脚体107を上昇させることによりキャスター105を設置面に当接させることにより、容易に移動させることができるようにしている。
【０１１１】
　また、ゴルフ練習ステージＢを所定の位置に配設する場合には、ステージ板301を起立させたゴルフ練習ステージＢを、キャスター105を利用して所定の位置にまで搬送し、脚体107を降下させることにより脚体107下端を設置面に当接させるとともに、キャスター105を設置面から離隔させる。このとき、脚体107を用いて基台フレーム101の水平調整を行っておくことが望ましい。
【０１１２】
　その後、ステージ板301を倒してステージ板支持フレーム302に係合させる。図１１、図１３及び図１４中、304はステージ板301をステージ板支持フレーム302に係合させて固定するための係合用フックである。
【０１１３】
　そして、必要であれば操作ハンドル216によって傾斜基板206の傾斜状態を調整し、ロック用ハンドル218によって傾斜基板206の傾斜状態を固定する。その後、駆動モータ210によって回転主軸体202させることにより、ステージ板301の傾斜の向きを調整する。
【０１１４】
　ステージ板301の傾斜の向きを調整後、傾斜の大きさを変更したい場合には、ロック用ハンドル218によるロック状態を一旦解除して操作ハンドル216によって傾斜基板206の傾斜状態を調整し、ロック用ハンドル218によって傾斜基板206の傾斜状態を固定する。
【図面の簡単な説明】
【０１１５】
【図１】実施例１のゴルフ練習ステージの平面図である。
【図２】実施例１のゴルフ練習ステージの一部切欠側面図である。
【図３】実施例１の基台部の平面図である。
【図４】実施例１の傾斜機構部を装着した基台部の平面図である。
【図５】実施例１のステージ板支持フレーム部の平面図である。
【図６】実施例１のステージ板支持フレーム部に設けた係合爪と、支持平板に設けた係合片との係合形態を説明する説明図である。
【図７】実施例１の傾斜機構部の平面図である。
【図８】実施例１の傾斜機構部の縦断面図である。
【図９】実施例１の傾斜機構部の縦断面図である。
【図１０】実施例１の傾斜機構部の縦断面図である。
【図１１】実施例２のゴルフ練習ステージの一部切欠側面図である。
【図１２】実施例２のゴルフ練習ステージの傾斜機構部を示した平面図である。
【図１３】実施例２のゴルフ練習ステージの一部切欠側面図である。
【図１４】実施例２におけるステージ板の起立状態を説明する説明図である。
【符号の説明】
【０１１６】
　Ａ　ゴルフ練習ステージ
　１　基台部
　２　傾斜機構部
　３　ステージ部
　４　ステージ板
　５　ステージ板支持フレーム部
　23　基台部装着板
　24　回転主軸体
　25　回転基板
　26　傾斜基板
　27　ステージ部連結体
　62　昇降操作体
　63　連結アーム
　91　回転阻止アーム連結板
　92　回転阻止アーム
　96　連結用フランジ
【図１】
2004049923.tif 000003
【図２】
2004049923.tif 000004
【図３】
2004049923.tif 000005
【図４】
2004049923.tif 000006
【図５】
2004049923.tif 000007
【図６】
2004049923.tif 000008
【図７】
2004049923.tif 000009
【図８】
2004049923.tif 000010
【図９】
2004049923.tif 000011
【図１０】
2004049923.tif 000012
【図１１】
2004049923.tif 000013
【図１２】
2004049923.tif 000014
【図１３】
2004049923.tif 000015
【図１４】
2004049923.tif 000016